(57)【要約】【課題】カメラのレンズ部を保護する機能、接写などの補助レンズを内蔵し、大きさが大きくならず、操作も簡単なカメラ付き折畳式携帯電話機を実現する。【解決手段】筐体１と筐体２とを支持部３により水平方向に回動可能に連結する折畳式携帯電話機にして、支持部３は、筐体１に形成された円形凸部１２と、筐体２に形成された円形凹部２２と、回転軸３１とから成り、円形凸部１２の内部にカメラ４を収容すると同時にレンズ用のレンズ孔１３を有し、円形凹部２２には、筐体を重ね合わせた状態の時にレンズ孔１３と合致する位置にレンズ保護部材２２ｃと、図示のように直線状に開いた状態の時にレンズ孔１３と合致する位置に撮影用窓２２ａと、筐体を直角に開いた状態の時にレンズ孔１３と合致する位置に接写用窓２２ｂとを有している。【選択図】      図１
2005109538.tif 000002
【特許請求の範囲】
【請求項１】
表示部を有する第１の筐体と操作部を有する第２の筐体とをそれぞれの端部に設けられた支持部により水平方向に回動可能に連結する折畳式携帯電話機にして、前記支持部は、前記第１の筐体に形成された円形凸部と、前記第２の筐体に形成された前記第１の筐体に形成された円形凸部と嵌合する円形凹部と、前記円形凸部と前記円形凹部との中心を貫通する回転軸とから成り、前記円形凸部は、その内部にカメラを収容すると同時に前記円形凹部との接触面にそのレンズ用の開口部を有し、前記円形凹部は、前記第１の筐体と前記第２の筐体とを重ね合わせた状態（回動角０°）の時に前記円形凸部のレンズ用の開口部と合致する位置に設けられたレンズ保護用の保護部材と、前記第１の筐体と前記第２の筐体とを直線状に開いた状態（回動角１８０°）の時に前記円形凸部のレンズ用の開口部と合致する位置に設けられた撮影用窓とを有することを特徴とするカメラ付き折畳式携帯電話機。
【請求項２】
前記支持部の前記円形凹部は、前記第１の筐体と前記第２の筐体とを直角に開いた状態（回動角９０°）の時に前記円形凸部のレンズ用の開口部と合致する位置に接写用の補助レンズを内設した接写用窓を設けることを特徴とする請求項１記載のカメラ付き折畳式携帯電話機。
【請求項３】
前記支持部の前記円形凹部は、前記第１の筐体と前記第２の筐体とを６０°に開いた状態（回動角６０°）の時に前記円形凸部のレンズ用の開口部と合致する位置に接写用の補助レンズを内設した接写用窓と、前記第１の筐体と前記第２の筐体とを１２０°に開いた状態（回動角１２０°）の時に前記円形凸部のレンズ用の開口部と合致する位置に広角或いは望遠用のコンバージョンレンズを内設した広角用窓或いは望遠用窓とを有することを特徴とする請求項１記載のカメラ付き折畳式携帯電話機。
【請求項４】
前記支持部の前記円形凸部と前記円形凹部には、前記第１の筐体と前記第２の筐体とを回動させた時に前記円形凸部のレンズ用の開口部の位置が前記円形凹部の前記保護部材、前記撮影用窓、前記接写用窓、前記広角用窓或いは望遠用窓の各位置で停止しやすいようにするクリックストップ機構を備えることを特徴とする請求項１，２或いは３記載のカメラ付き折畳式携帯電話機。
【請求項５】
前記支持部の前記円形凸部と前記円形凹部には、前記第１の筐体と前記第２の筐体とを回動させた時に前記円形凸部のレンズ用の開口部の位置が前記円形凹部の前記保護部材、前記撮影用窓、前記接写用窓、前記広角用窓或いは望遠用窓の何れの位置にあるかが使用者に容易に分かるように各位置を示す表示記号を表示することを特徴とする請求項１，２，３或いは４記載のカメラ付き折畳式携帯電話機。
【請求項６】
前記支持部の前記円形凸部と前記円形凹部には、前記第１の筐体と前記第２の筐体とを重ね合わせた状態から開いたときに使用状態を報知する電気信号を外部に出力するためのスイッチを備えることを特徴とする請求項１，２，３，４或いは５記載のカメラ付き折畳式携帯電話機。
【発明の詳細な説明】
【技術分野】
【０００１】
本発明はカメラ付き折畳式携帯電話機に関し、特にカメラのレンズ保護カバー、及び接写用などの補助レンズを内蔵するカメラ付き折畳式携帯電話機に関する。
【背景技術】
【０００２】
最近、カメラ付きの携帯電話機は、その利便性から多くのユーザーに受け入れられ広く普及して来ている。そして更にその利便性を追求する開発が進められているが、その一つとしてカメラの内臓レンズを接写用、広角、望遠などに変換するための補助レンズを付加する機能を有するものがある。
【０００３】
この機能を有するカメラ部の実装構造は、種々のものが考案されているが、その最も簡単な例は、この補助レンズを外付けする方法で、図５にその従来例を示す。図５は第1の従来例を示す正面図である。
【０００４】
図５において、補助レンズ具５０は、接写用の補助レンズ５４と吸盤を用いた固定手段５２とハンドストラップに取付可能な紐材５５などを軟質の合成樹脂材の本体に取り付け構成したもので、図はこれを携帯電話機Ｐに装着した状態を示すものである。補助レンズ具５０の接写用の補助レンズ５４は、携帯電話機Ｐの撮影レンズＱの前面に配置され、携帯電話機Ｐのカメラは接写が可能となる。（例えば、特許文献１参照。）
次にこの補助レンズを内蔵する例を図６に示す。図６は第２の従来例を示す正面図である。図６において、携帯電話端末筐体６７の内部にはカメラモジュール６２が実装されており、その前面にはこのカメラモジュール６２用の各種レンズが円周上に配置された円盤６１が配置され、その外側にカメラ保護用カバー６３が設けられている。即ち、この円盤６１には接写用レンズ６１ａ、１倍レンズ６１ｂ、２倍レンズ６１ｃ、４倍レンズ６１ｄが円周上に配置されている。
【０００５】
カメラモジュール６２で撮影する時は、外部指示により、先ずカメラ保護用カバー６３が開き、指定されたレンズが円盤６１を内部モターなどにより回転することにより選択さして撮影に入る。（例えば、特許文献２参照。）
次に２つの筐体をそれぞれの端部に設けられた支持部により水平方向に回動可能に連結する構造の折畳式携帯電話機の例を図７に示す。図７は第３の従来例を示す正面図である。図７において、表示手段７８を保持する第１のケース７１と入力手段７９を保持する第２のケース７２とは回転軸７３を支点に回動し、表示手段７８を縦型、横型に容易に切り替えることが可能となっている。
表示手段７８の裏面に撮像手段（カメラ）７９を配しているので、開いた状態で撮影が可能であり、閉じたときは撮像手段は第２のケースの表面で保護される。（例えば、特許文献３参照。）
【特許文献１】実用新案登録第３０９３５８８号公報（第１頁）
【特許文献２】特願２００２−２５８２６４号公報（第１〜２頁）
【特許文献３】特開２００３−１３４２０５号公報（第１，１５頁）
【発明の開示】
【発明が解決しようとする課題】
【０００６】
上述した各従来例においては、以下に述べる問題がある。先ず第１の従来例においては、補助レンズは外付けであるので、これを常に携行する必要があり、また現場での取付が面倒であるという問題がある。
【０００７】
第２の従来例においては、補助レンズが配置された円盤を内蔵しており、またこれを回転させるための回転機構も必要になるなどで、携帯電話機の大きさが大きくなり、価格も高くなるという問題がある。
【０００８】
第３の従来例においては、撮像手段の保護機能を有するが、補助レンズを付加する機能が無いという問題がある。
【０００９】
本発明の目的は、レンズ保護機能と各種補助レンズとを内臓しながら、筐体の大きさを大きくすること無く、かつその操作も簡単なカメラ付き折畳式携帯電話機を提供することにある。
【課題を解決するための手段】
【００１０】
本発明のカメラ付き折畳式携帯電話機は、表示部を有する第１の筐体と操作部を有する第２の筐体とをそれぞれの端部に設けられた支持部により水平方向に回動可能に連結する折畳式携帯電話機にして、前記支持部は、前記第１の筐体に形成された円形凸部と、前記第２の筐体に形成された前記第１の筐体に形成された円形凸部と嵌合する円形凹部と、前記円形凸部と前記円形凹部との中心を貫通する回転軸とから成り、前記円形凸部は、その内部にカメラを収容すると同時に前記円形凹部との接触面にそのレンズ用の開口部を有し、前記円形凹部は、前記第１の筐体と前記第２の筐体とを重ね合わせた状態（回動角０°）の時に前記円形凸部のレンズ用の開口部と合致する位置に設けられたレンズ保護用の保護部材と、前記第１の筐体と前記第２の筐体とを直線状に開いた状態（回動角１８０°）の時に前記円形凸部のレンズ用の開口部と合致する位置に設けられた撮影用窓とを有している。
【００１１】
また、前記円形凹部は、前記第１の筐体と前記第２の筐体とを直角に開いた状態（回動角９０°）の時に前記円形凸部のレンズ用の開口部と合致する位置に接写用の補助レンズを内設した接写用窓を設けるようにしても良い。
【００１２】
或いは、前記円形凹部は、前記第１の筐体と前記第２の筐体とを６０°に開いた状態（回動角６０°）の時に前記円形凸部のレンズ用の開口部と合致する位置に接写用の補助レンズを内設した接写用窓と、前記第１の筐体と前記第２の筐体とを１２０°に開いた状態（回動角１２０°）の時に前記円形凸部のレンズ用の開口部と合致する位置に広角或いは望遠用のコンバージョンレンズを内設した広角用窓或いは望遠用窓とを有するようにしても良い。
【００１３】
また、前記支持部の前記円形凸部と前記円形凹部には、前記第１の筐体と前記第２の筐体とを回動させた時に前記円形凸部のレンズ用の開口部の位置が前記保護部材、前記撮影用窓、前記接写用窓、前記広角用窓或いは望遠用窓の各位置で停止しやすいようにするクリックストップ機構を備えるようにしても良い。
【００１４】
また、前記支持部の前記円形凸部と前記円形凹部には、前記第１の筐体と前記第２の筐体とを回動させた時に前記円形凸部のレンズ用の開口部の位置が前記保護部材、前記撮影用窓、前記接写用窓、前記広角用窓或いは望遠用窓の何れの位置にあるかが使用者に容易に分かるように各位置にその記号などを表示するようにしても良い。
【００１５】
更に、前記支持部の前記円形凸部と前記円形凹部には、前記第１の筐体と前記第２の筐体とを重ね合わせた状態から開いたときに使用状態を報知する電気信号を外部に出力するためのスイッチを備えるようにしても良い。
【発明の効果】
【００１６】
本発明のカメラ付き折畳式携帯電話機は、２つの筐体を回動可能に連結する支持部にカメラとそのレンズ保護部材及び各種補助レンズを内臓し、２つの筐体を回動させることにより、カメラのレンズ前面に配置されるレンズ保護部材及び各種補助レンズを切り替えるようにしているので、筐体の大きさを大きくすること無く、かつその操作も簡単であるという効果がある。
【発明を実施するための最良の形態】
【００１７】
次に本発明の実施の形態について図面を参照して説明する。
【００１８】
図１は、本発明の実施の形態例を示す（ａ）正面斜視図、（ｂ）背面斜視図、図２は、図１のカメラ部構造を示す（ａ）背面図、（ｂ）Ａ−Ａ線断面図、（ｃ）Ｂ−Ｂ線断面図、図３は、図１の動作を説明する（ａ）回動角０°、（ｂ）回動角１８０°、（ｃ）回動角９０°の時のそれぞれの正面図、図４は、他の実施例の回動角１８０°の時の正面図である。
【００１９】
先ず、図１を参照して構成について説明する。本発明のカメラ付き折畳式携帯電話機は、表示部１１を有する筐体１と操作部２１を有する筐体２とをそれぞれの端部に設けられた支持部３により水平方向に回動可能に連結する折畳式携帯電話機にして（図は回動角を１８０°にした使用時の状態を示す）、
支持部３は、筐体１に形成された円形凸部１２と、筐体２に形成された筐体１に形成された円形凸部１２と嵌合する円形凹部２２と、円形凸部１２と円形凹部２２との中心を貫通する回転軸３１とから成り、円形凸部１２は、その内部にカメラ４を収容すると同時に円形凹部２２との接触面にそのレンズ用の開口部、即ちレンズ孔１３を有し、円形凹部２２は、筐体１と筐体２とを重ね合わせた状態（回動角０°）の時に円形凸部１２のレンズ孔１３と合致する位置に設けられたレンズ保護用の保護部材２２ｃと、筐体１と筐体２とを図示のように直線状に開いた状態（回動角１８０°）の時に円形凸部１２のレンズ孔１３と合致する位置に設けられた撮影用窓２２ａと筐体１と筐体２とを直角に開いた状態（回動角９０°）の時に円形凸部１２のレンズ孔１３と合致する位置に接写用の補助レンズを内設した接写用窓２２ｂとを有している。
【００２０】
更に図２を参照して支持部３のカメラ周辺の構造を説明する。本図は図１と同様に筐体１，２を回動角１８０°に開いた使用時の状態を示す。図２（ｂ）に示すようにカメラ４は、筐体１の円形凸部１２の内部に収納されておりレンズ孔１３を通して、筐体２の円形凹部２２の撮影用窓２２ａから撮影が可能となる。
【００２１】
筐体２の円形凹部２２には、撮影用窓２２ａから回転軸３１を支点に９０°の位置に接写用窓２２ｂがあり、この接写用窓２２ｂには図２（ｃ）に示すように接写用の補助レンズが内設されている。また、撮影用窓２２ａから回転軸３１を支点に１８０°の位置には、レンズ保護部材２２ｃが貼り付けてあり、レンズ部を密閉しほこりなどの混入を防止する。
【００２２】
また支持部３には、筐体１と筐体２とを回動させた時に円形凸部１２のレンズ窓１３の位置が、円形凹部２２のレンズ保護部材２２ｃ、撮影用窓２２ａ、接写用窓２２ｂの各位置で停止しやすいようにするためのクリックストップ機構が設けられている。即ち図２（ａ）に示す点線の凹凸の溝１４，２４が円形凸部１２と円形凹部２２とにそれぞれ設けられおり、回転軸３１に備えられた円形凸部１２と円形凹部２２とを圧接するように作用する弾性力により、筐体１,２を回動させた時にこの溝１４，２４がかみ合いこの位置で停止するようになっている。
【００２３】
また、円形凹部２２の撮影用窓２２ａ、接写用窓２２ｂの各位置には、使用者がレンズ位置がいずれの位置にあるかが容易に分かるように、各位置に「標準」、「接写」の表示があると同時に、図１（ａ）に示すように、円形凸部１２側にカメラ位置表示また円形凹部２２側に窓位置表示が施されている。
【００２４】
更に円形凸部１２と円形凹部２２とは、それぞれの接触面に図２（ａ）に示す接点１６，２６を有しており、筐体１と筐体２とを重ね合わせた状態でこの接点は閉じ、開いた状態で開放され、これを使用状態を報知する電気信号として外部に出力している。この信号は他に設けられる制御回路などに使用される。
【００２５】
尚、他の実施例として図４に示すように、円形凹部２２には、筐体１と筐体２とを６０°に開いた状態（回動角６０°）の時に円形凸部２２側のレンズ孔１３と合致する位置に接写用レンズを内設した接写用窓２２ｂと、１２０°に開いた状態（回動角１２０°）の時の位置に広角用のコンバージョンレンズを内設した広角用窓２２ｄとを備えるようにしても良い。この広角用窓２２ｄは望遠用としても良く、また両方を備えるようにしても良い。
【００２６】
次に図３を参照して動作について説明する。図３（ａ）は筐体１，２を閉じて使用していない状態を示し、カメラ４のレンズ位置は保護部材２２ｃにあり、レンズは完全に保護されている。そして通話のため使用する時は、筐体１，２を１８０°回動し、図３（ｂ）の状態にして通話する。
【００２７】
この状態において、カメラで人物などを撮影して相手側に送信したい時は、カメラ４のレンズ位置は撮影用窓２２ａ「標準」の位置にあるので、筐体２の背面側にある撮影用窓２２ａを被写体に向けて撮影する。また、文書など接写したい時は、筐体１，２を閉じた状態から９０°の位置に回動し、図３（ｃ）に示す状態にする。この状態でカメラ４のレンズ位置は接写用窓２２ｂ「接写」の位置にあり、この接写用窓２２ｂを被写体に向けて撮影する。
【００２８】
尚、他の実施例で示した図４においては、接写以外に筐体１，２を広角用窓２２ｄ「広角」の位置に回動して撮影すれば広角撮影が可能となる。
【産業上の利用可能性】
【００２９】
２つの筐体をそれぞれの端部に設けられた支持部により水平方向に回動可能に連結する構造の折畳式携帯電話機の全般に利用することができる。
【図面の簡単な説明】
【００３０】
【図１】本発明の実施の形態例を示す（ａ）正面斜視図、（ｂ）背後面斜視図である。
【図２】図１のカメラ部構造を示す（ａ）背面図、（ｂ）Ａ−Ａ線断面図である。
【図３】図１の動作を説明する（ａ）回動角０°、（ｂ）回動角１８０°、（ｃ）回動角９０°の時のそれずれの正面図である。
【図４】他の実施例の回動角１８０°の時の正面図である。
【図５】第１の従来例を示す正面図である。
【図６】第２の従来例を示す正面図である。
【図７】第３の従来例を示す正面図である。
【符号の説明】
【００３１】
１，２    筐体
３    支持部
４    カメラ
１１    表示部
１２    円形凸部
１３    レンズ孔
２１    操作部
２２    円形凹部
２２ａ    撮影用窓
２２ｂ    接写用窓
２２ｃ    レンズ保護部材
２２ｄ    広角用窓
１４，２４    溝
１６、２６    接点
【図１】
2005109538.tif 000003
【図２】
2005109538.tif 000004
【図３】
2005109538.tif 000005
【図４】
2005109538.tif 000006
【図５】
2005109538.tif 000007
【図６】
2005109538.tif 000008
【図７】
2005109538.tif 000009